(57)【要約】【課題】  簡便にコンテンツ更新を行うことができる移動機を提供すること。【解決手段】  コンテンツを格納するコンテンツ格納部１０５と、コンテンツ格納部１０５のコンテンツを更新するコンテンツ更新部１０４と、使用者情報を保存ユーザデータとして格納する使用者情報格納部１０１と、入力された使用者情報を入力ユーザデータとして受け付ける入力受付部１０２と、保存ユーザデータと入力ユーザデータとの同一性を判断する同一性判定部１０３と、を備える。同一性判定部１０３が、保存ユーザデータと入力ユーザデータとが非同一であると判断した場合に、コンテンツ更新部１０４は、コンテンツ格納部１０５に格納されているコンテンツを消去し、移動機１０が属する移動体通信網に対して、入力ユーザデータに対応するコンテンツを送信するように要求し、送信されるコンテンツをコンテンツ格納部１０５に格納する。【選択図】  図１
2006191384.tif 000002
【特許請求の範囲】
【請求項１】
当該移動機において利用可能なコンテンツを格納するコンテンツ格納手段と、
前記コンテンツ格納手段に格納されているコンテンツを更新するコンテンツ更新手段と、
当該移動機の使用者を特定するための使用者情報を保存ユーザデータとして格納する使用者情報格納手段と、
当該移動機の使用者を特定するための使用者情報が入力されると、入力ユーザデータとして受け付ける入力受付手段と、
前記保存ユーザデータと前記入力ユーザデータとの同一性を判断する同一性判定手段と、を備え、
前記同一性判定手段の判断結果が、前記保存ユーザデータと前記入力ユーザデータとが非同一である旨のものである場合に、
前記コンテンツ更新手段は、
前記コンテンツ格納手段に格納されているコンテンツを消去し、
当該移動機が属する移動体通信網に対して、前記入力ユーザデータに対応するコンテンツを送信するように要求し、当該要求に応じて前記移動体通信網から送信されるコンテンツを前記コンテンツ格納手段に格納する、移動機。
【請求項２】
前記コンテンツ格納手段に格納されているコンテンツが消去されてから所定の時間が継続した後に、当該移動機が属する移動体通信網に対して、前記入力ユーザデータに対応するコンテンツの送信を要求することを特徴とする請求項１に記載の移動機。
【請求項３】
さらに、前記移動体通信網から送信されるコンテンツを表示する表示手段を備えることを特徴とする請求項１もしくは請求項２に記載の移動機。
【請求項４】
移動機において利用可能なコンテンツを送信するコンテンツ送信方法であって、
前記移動機の使用者を特定するための使用者情報が入力されると、入力受付手段が当該入力された使用者情報を入力ユーザデータとして受け付ける入力受付ステップと、
同一性判定手段が、保存ユーザデータとして使用者情報格納手段に格納されている前記移動機の使用者を特定するための使用者情報と前記入力ユーザデータとの同一性を判断する同一性判定ステップと、
前記同一性判定ステップでの判断結果が前記保存ユーザデータと前記入力ユーザデータとが非同一である旨のものである場合に、コンテンツ更新手段がコンテンツ格納手段に格納されているコンテンツを消去する消去ステップと、
前記コンテンツ更新手段が、前記移動機が属する移動体通信網に対して前記入力ユーザデータに対応するコンテンツを送信するように要求するコンテンツ送信要求ステップと、
前記コンテンツ送信要求ステップにおける要求に応じて、サーバが前記入力ユーザデータに対応するコンテンツを生成するコンテンツ生成ステップと、
前記コンテンツ送信要求ステップで生成したコンテンツを、前記サーバが前記移動機に送信するコンテンツ送信ステップと、
当該送信されたコンテンツを前記コンテンツ更新手段が前記コンテンツ格納手段に格納するコンテンツ格納ステップと、を備えるコンテンツ送信方法。
【発明の詳細な説明】
【技術分野】
【０００１】
本発明は、移動機及びコンテンツ送信方法に関する。
【背景技術】
【０００２】
携帯電話機等の移動機を機種交換する場合や１人の使用者が複数の移動機を用いる場合において、電話番号等などの情報が記憶されたモジュール（例えば、ＵＩＭ）を差し替えることで移動機が使用者を識別し、その使用者において移動機を利用可能にすることが知られている。
【０００３】
このように新しい移動機を利用可能とする場合に、使用者は新しい移動機において利用可能なコンテンツを、以前に使用していた移動機から移植するか、ネットワークを介してサーバから新たに取得して更新する必要がある。
【０００４】
ところで、あるコンピュータに導入されたアプリケーションソフトウェアを他のコンピュータで利用するために、その利用のためのライセンスを移動する方法が知られている（例えば、特許文献１参照）。
【特許文献１】特開平１０−１４９２８３号
【発明の開示】
【発明が解決しようとする課題】
【０００５】
上記特許文献１に記載の技術は、一般的な通信回線に接続されたコンピュータを想定しており、例えば、複数台のコンピュータを一人のユーザが同時に使用することも可能である。従って、上記特許文献１に記載のようなライセンス管理が必要になる。
【０００６】
本発明者は、移動体通信網の特性を検討し、原則としてユーザごと（契約ごと）に一台の移動機のみが使用可能になることに基づいて、簡便なコンテンツ更新ができないか検討を行った。本発明はこの検討による知見に基づいてなされたものである。
【０００７】
そこで本発明は、簡便にコンテンツ更新を行うことができる移動機及びコンテンツ送信方法を提供することを目的とする。
【課題を解決するための手段】
【０００８】
本発明の移動機は、当該移動機において利用可能なコンテンツを格納するコンテンツ格納手段と、コンテンツ格納手段に格納されているコンテンツを更新するコンテンツ更新手段と、移動機の使用者を特定するための使用者情報を保存ユーザデータとして格納する使用者情報格納手段と、移動機の使用者を特定するための使用者情報が入力されると、入力ユーザデータとして受け付ける入力受付手段と、保存ユーザデータと入力ユーザデータとの同一性を判断する同一性判定手段と、を備え、同一性判定手段の判断結果が、保存ユーザデータと入力ユーザデータとが非同一である旨のものである場合に、コンテンツ更新手段は、コンテンツ格納手段に格納されているコンテンツを消去し、移動機が属する移動体通信網に対して、入力ユーザデータに対応するコンテンツを送信するように要求し、当該要求に応じて移動体通信網から送信されるコンテンツをコンテンツ格納手段に格納する。
【０００９】
本発明の移動機によれば、同一性判定手段が保存ユーザデータと入力ユーザデータとが非同一であると判断したとき、移動機はコンテンツ格納手段に格納していたコンテンツを消去し、移動機の要求に応じて移動体通信網から送信されるコンテンツをコンテンツ格納手段に格納する。従って、新しい移動機を利用可能とする場合に、例えば、以前に使用していた移動機からの移植や、ネットワークを介してサーバから新たに取得して更新するといった作業を使用者が意識することなく、コンテンツを簡便に更新することができる。
【００１０】
また本発明の移動機において、コンテンツ格納手段に格納されているコンテンツが消去されてから所定の時間が継続した後に、移動機が属する移動体通信網に対して、入力ユーザデータに対応するコンテンツの送信を要求するようにしてもよい。このように構成することで、使用者は、自らが望む時期でコンテンツを更新するための時間を確保することができる。
【００１１】
さらに、本発明の移動機が移動体通信網から送信されるコンテンツを表示する表示手段を備えるようにしてもよい。このように構成することで、以前に使用していた移動機で利用していたコンテンツが新しい移動機において利用可能となったことを確認できる。さらに、入力ユーザデータに対応するコンテンツとしてコンテンツ提供者が意図したコンテンツを移動機の表示手段に表示することができる。例えば、移動機が属する移動体通信網において、入力ユーザデータが登録されていない場合に、入力ユーザデータが未登録であることを示すコンテンツを表示手段に表示することができる。
【００１２】
また、本発明のコンテンツ送信方法は、移動機において利用可能なコンテンツを送信するコンテンツ送信方法であって、移動機の使用者を特定するための使用者情報が入力されると、入力受付手段が当該入力された使用者情報を入力ユーザデータとして受け付ける入力受付ステップと、同一性判定手段が、保存ユーザデータとして使用者情報格納手段に格納されている移動機の使用者を特定するための使用者情報と入力ユーザデータとの同一性を判断する同一性判定ステップと、同一性判定ステップでの判断結果が保存ユーザデータと入力ユーザデータとが非同一である旨のものである場合に、コンテンツ更新手段がコンテンツ格納手段に格納されているコンテンツを消去する消去ステップと、コンテンツ更新手段が、移動機が属する移動体通信網に対して入力ユーザデータに対応するコンテンツを送信するように要求するコンテンツ送信要求ステップと、コンテンツ送信要求ステップにおける要求に応じて、サーバが入力ユーザデータに対応するコンテンツを生成するコンテンツ生成ステップと、コンテンツ送信要求ステップで生成したコンテンツを、サーバが移動機に送信するコンテンツ送信ステップと、当該送信されたコンテンツをコンテンツ更新手段がコンテンツ格納手段に格納するコンテンツ格納ステップと、を備える。
【００１３】
本発明のコンテンツ送信方法によれば、上記の移動機の発明の場合と同様に、同一性判定ステップで保存ユーザデータと入力ユーザデータとが非同一であると判断したとき、移動機は予め格納されているコンテンツを消去し、移動機の要求に応じてサーバから送信されるコンテンツを格納する。従って、新しい移動機を利用可能とする場合に、以前に使用していた移動機からの移植や、ネットワークを介してサーバから新たに取得して更新するといった作業を使用者が意識することなく、コンテンツを簡便に更新することができる。
【００１４】
さらに、本発明のコンテンツ送信方法は、サーバが入力ユーザデータに対応する使用者情報を新規に受信したとき、サーバが移動機に対して入力ユーザデータに対応するコンテンツを送信する自動送信ステップを備えてもよい。これにより、使用者が使用する権限のある移動機（すなわち、使用中の移動機）以外の手段を用いて新しいコンテンツを利用できるようになったとき、特別な操作をせずとも、使用者はサーバから送信される当該コンテンツを入手できる。
【発明の効果】
【００１５】
本発明によれば、移動機に保存されているユーザデータと非同一のユーザデータが入力される場合において、簡便にコンテンツ更新を行うことができる。
【発明を実施するための最良の形態】
【００１６】
本発明の知見は、例示のみのために示された添付図面を参照して以下の詳細な記述を考慮することによって容易に理解することができる。引き続いて、添付図面を参照しながら本発明の実施の形態を説明する。
【００１７】
まず、本発明に係るコンテンツ送信システムの構成について、図１を参照しながら説明する。図１に示すコンテンツ送信システム１は、移動機１０とサーバ２０とを備え、相互に情報通信が可能なように構成されている。
【００１８】
移動機１０は、ユーザが利用する情報通信端末であって、例としては携帯電話機や通信機能を備えるＰＤＡがある。
【００１９】
移動機１０は機能的な構成要素として、使用者情報格納部１０１（使用者情報格納手段）と、入力受付部１０２（入力受付手段）と、同一性判定部１０３（同一性判定手段）と、コンテンツ更新部１０４（コンテンツ更新手段）と、コンテンツ格納部１０５（コンテンツ格納手段）と、表示部１０６とを備える。
【００２０】
引き続いて、移動機１０を構成する各要素の機能を説明する。
【００２１】
使用者情報格納部１０１は、移動機１０の使用者を特定するための使用者情報を保存ユーザデータとして格納する部分である。使用者情報の形態は特に限定されないが、電話番号やパスワードといった情報だけでなく、指紋や虹彩といった生体情報を利用することができる。
【００２２】
入力受付部１０２は、移動機１０の使用者を特定するための使用者情報が入力されると、入力ユーザデータとして受け付ける部分である。使用者情報を入力する手段は特に限定されないが、電話番号等などの情報が記憶されたモジュール（例えば、ＵＩＭ）、数字キー等の入力部、指紋認識ユニットや虹彩認識ユニット（いずれも図示しない）などを用いることができる。
【００２３】
同一性判定部１０３は、使用者情報格納部１０１の保存ユーザデータと入力受付部１０２の入力ユーザデータとの入力を受けて、２つのデータの同一性を判断する部分である。この同一性の判断は、保存ユーザデータと入力ユーザデータとが全く同一であるか否かに基づいて行われる。例えば、保存ユーザデータと入力ユーザデータとが異なるユーザを特定するものである場合には、同一性判定部１０３は非同一であると判断する。また例えば、保存ユーザデータが存在しない場合も同一性判定部１０３は非同一であると判断する。より具体的には、移動機１０に入力される使用者情報としてモジュールに記憶された電話番号を用いる場合、使用者情報格納部１０１に格納されている電話番号と入力受付部１０２がモジュールから読み出した電話番号とが同一であるか否かについて判断する。同一性判定部１０３は、入力ユーザデータと保存ユーザデータとの同一性判断結果を示す情報をコンテンツ更新部１０４に出力する。
【００２４】
コンテンツ更新部１０４は、同一性判定部１０３から出力される同一性判断結果に基づいて、コンテンツ格納部１０５に格納されているコンテンツの更新を行う部分である。また、コンテンツ更新部１０４はコンテンツ格納部１０５にコンテンツが格納されていない時間が、設定されている上限時間（所定時間）を超えた場合に、コンテンツ格納部１０５に新たなコンテンツを格納する部分でもある。具体的には、コンテンツ格納部１０５に格納されているコンテンツの消去、移動機が属する移動体通信網（本実施の形態ではサーバ２０）に対するコンテンツの送信要求、移動体通信網から送信されるコンテンツの受信とコンテンツ格納部１０５への格納、といった機能を備えている。
【００２５】
コンテンツ格納部１０５は、移動機において利用可能なコンテンツを格納する部分である。コンテンツ格納部１０５に格納されるコンテンツは、コンテンツ更新部１０４によって消去され、書き換えられて更新される。また、格納されたコンテンツは、表示部１０６へ出力される。
【００２６】
表示部１０６は、コンテンツ格納部１０５に格納されたコンテンツを表示する部分である。これにより、移動体通信網から送信されたコンテンツを移動機に表示し、コンテンツの内容を閲覧することができる。
【００２７】
次に、サーバ２０を構成する各要素の機能を説明する。
【００２８】
コンテンツ送信要求受信部２０１は、移動機１０のコンテンツ更新部１０４から送信されたコンテンツの送信要求を受信し、記憶部２０２へ当該要求を出力する部分である。
【００２９】
記憶部２０２は、コンテンツ送信要求受信部２０１から出力されたコンテンツの送信要求を受けて、外部のサーバ等から受信し格納したコンテンツである格納コンテンツ２０２Ｂから移動機へ送信するコンテンツを生成する部分である。また、記憶部２０２は、移動機からの入力ユーザデータとそれに対応するコンテンツを関連付けるための使用者情報データベース２０２Ａを備えている。この使用者情報データベース２０２Ａを用いて、記憶部２０２は格納コンテンツ２０２Ｂから入力ユーザデータに対応するコンテンツを生成し、コンテンツ送信部２０３へ出力する。なお、使用者情報データベース２０２Ａは、外部のサーバ（例えば、サーバ２０以外のコンテンツ提供者のサーバもしくは移動体通信網提供者のサーバ）からの新規の使用者情報を受信し、追加・更新できるようにしても良い。
【００３０】
コンテンツ送信部２０３は、記憶部２０２から出力されたコンテンツを受け、移動機１０のコンテンツ更新部１０４へ送信する部分である。
【００３１】
本実施の形態では、移動機が属する移動体通信網において、入力ユーザデータに対応するコンテンツを送信する手段としてサーバを用いているが、コンテンツを送信することができる手段であれば特に限定されない。
【００３２】
続いて、コンテンツ送信システム１の動作について、図２を参照しながら説明する。
【００３３】
電話番号や指紋等の使用者を特定するための使用者情報が移動機に入力されると、入力受付部１０２は当該使用者情報を入力ユーザデータとして受け付ける（Ｓ０１）。入力ユーザデータを受け付けた後、同一性判定部１０３は、使用者情報格納部１０１に格納されている保存ユーザデータと入力ユーザデータとの同一性を判断する（Ｓ０２）。保存ユーザデータと入力データとが非同一の場合、同一性判定部１０３は、その旨の情報をコンテンツ更新部１０４に出力し、コンテンツ更新部１０４はコンテンツ格納部１０５のコンテンツを消去する（Ｓ０３）。一方、保存ユーザデータと入力データとが同一の場合、処理を終了する。
【００３４】
ステップＳ０３においてコンテンツを消去した後、コンテンツ更新部１０４はサーバ２０（すなわち、移動機１０が属する移動体通信網の構成要素）に対して、入力ユーザデータに対応するコンテンツの送信を要求する（Ｓ０４）。なお、コンテンツ格納部１０５のコンテンツを消去してから所定時間（例えば、２時間）が経過した後に、コンテンツ更新部１０４がサーバ２０に対してコンテンツの送信を要求するようにしても良い。これにより、使用者は、自らが望む時期でコンテンツを更新するための時間を確保することができる。
【００３５】
サーバ２０のコンテンツ送信要求受信部２０１は、移動機１０のコンテンツ更新部１０４からのコンテンツの送信要求を受信し、それを受けて、記憶部２０２は使用者情報データベース２０２Ａを用いつつ入力ユーザデータに対応するコンテンツを生成する（Ｓ０５）。図３は、使用者Ａの移動機からコンテンツの送信要求が送信された場合における記憶部２０２でのコンテンツの生成を示している。記憶部２０２は、コンテンツの送信要求を送信した移動機の使用者が使用者Ａであることを判別し、使用者情報データベース２０２Ａを用いて、使用者Ａが利用可能なコンテンツがコンテンツ０２、コンテンツ０５、コンテンツ０７、及びコンテンツ０８であることを確認する。確認の後、記憶部２０２は、格納コンテンツ２０２Ｂに格納されたコンテンツからコンテンツ０２、コンテンツ０５、コンテンツ０７、及びコンテンツ０８を抽出し、移動機１０へ送信するコンテンツを生成する。
【００３６】
コンテンツ送信部２０３は、記憶部２０２からの入力を受けて、生成されたコンテンツを移動機１０のコンテンツ更新部１０４へ送信する（Ｓ０６）。コンテンツ更新部１０４は、コンテンツ送信部２０３から受信したコンテンツをコンテンツ格納部１０５に格納し（Ｓ０７）、処理を終了する。
【００３７】
本発明のコンテンツ送信システム１は、上述のように動作することで、移動機を機種交換する場合や１人の使用者が複数の移動機を用いる場合において、新しい移動機を利用可能とする際に、以前に使っていた移動機から移植する作業や、ネットワークを介してサーバから新たに取得する作業を使用者が意識することなく、コンテンツを簡便に更新することができる。
【００３８】
表示部１０６は、ステップＳ０７でコンテンツ格納部１０５に格納したコンテンツを表示する（Ｓ０８）。なお、図２では、ステップＳ０８をステップＳ０７の後に記載しているが、ステップＳ０８は付加的なステップであり、本発明に必須のステップではない。また、表示部１０６がコンテンツを表示する時期は、コンテンツ格納部１０５にコンテンツを格納する前や格納と同時でもよい。このような付加的なステップを設けることで、以前に使用していた移動機で利用していたコンテンツが新しい移動機において利用可能になったことを使用者は視覚的に確認できる。さらに、入力ユーザデータに対応させて記憶部２０２が生成するコンテンツにコンテンツ提供者が意図したコンテンツを加え、移動機の表示部１０６に表示することができる。例えば、サーバ２０において、入力ユーザデータに対応するデータが使用者情報データベース２０２Ａに登録されていない場合に、使用者情報が未登録であることを示すコンテンツや使用者情報の登録を促すコンテンツを表示部１０６に表示させることができる。
【００３９】
さらに、サーバ２０が入力ユーザデータに対応するデータ（例えば、新規の使用者情報）を外部のサーバ等から新規に受信した場合（Ｓ１０１）、当該入力ユーザデータに対応するコンテンツ生成し（Ｓ０５）、移動機１０に対して自動的に送信し（Ｓ０６）、移動機１０がコンテンツ格納部１０５に格納する（Ｓ０８）ようにコンテンツ送信システムを構成しても良い。これにより、使用者が使用する権限のある移動機（すなわち、使用中の移動機）以外の手段（例えば、サーバ２０以外のコンテンツ提供者のサーバもしくは移動体通信網提供者のサーバ）に使用者情報を登録することで新しいコンテンツが利用可能になった場合でも、使用者は移動機１０に対して特別な操作をすることなくサーバ２０から新しいコンテンツを入手することができる。
【図面の簡単な説明】
【００４０】
【図１】本発明に係るコンテンツ送信システムの一実施形態を示すシステム構成図である。
【図２】図１に示したコンテンツ送信システムの動作を示すシーケンス図である。
【図３】サーバの記憶部におけるコンテンツの生成を示す図である。
【符号の説明】
【００４１】
１…コンテンツ送信システム、１０…移動機、２０…サーバ、１０１…使用者情報格納部、１０２…入力受付部、１０３…同一性判定部、１０４…コンテンツ更新部、１０５…コンテンツ格納部、１０６…表示部、２０１…コンテンツ送信要求受信部、２０２…記憶部、２０３…コンテンツ送信部。
【図１】
2006191384.tif 000003
【図２】
2006191384.tif 000004
【図３】
2006191384.tif 000005